(57)【要約】【解決課題】風流分離構造体を用いてストレージ装置の効率的な冷却を実現する冷却方法を実現する。【解決手段】筐体内に形成された複数の冷却領域と、各冷却領域に外気を誘導し、次いで、当該外気を前記筐体の排出領域から当該筐体外部に排出する、外気導入・排出装置と，前記各冷却領域を通過した外気を前記排出領域まで導く外気誘導領域と、を備え、一つの冷却領域を通過した前記外気が他の冷却領域を通過した前記外気と混合しないように、前記外気誘導領域を構成した。【選択図】図３
2007257792.tif 000002
【特許請求の範囲】
【請求項１】
複数の記憶媒体を収納する記憶媒体収容部と、上位ホスト装置からのデータ入出力要求に応答して前記記憶媒体に対するデータ入出力処理を行うコントロールユニット部と、前記記憶媒体収容部及び前記コントロールユニット部に電源を供給する電源部と、を一方向に配列して筐体内に備えるストレージ装置において、
前記筐体内に形成された複数の冷却領域と、
各冷却領域に外気を誘導し、次いで、当該外気を前記筐体の排出領域から当該筐体外部に排出する、外気導入・排出装置と、
前記各冷却領域を通過した外気を前記排出領域まで導く外気誘導領域と、を備え、
一つの冷却領域を通過した前記外気が他の冷却領域を通過した前記外気と混合しないように、前記外気誘導領域を構成した、ストレージ装置。
【請求項２】
前記外気誘導領域を第１の領域と第２の領域に仕切る構造体を備える、請求項１記載のストレージ装置。
【請求項３】
前記外気導入・排出装置を第１の装置と第２の装置から構成し、
前記第１の装置が、前記一つの冷却領域を通過した外気を前記第１の領域を経て前記排出領域から前記筐体外に排出し、
前記第２の装置が、前記他の冷却領域を通過した外気を前記第２の領域を経て前記排出領域から前記筐体外に排出する、
請求項２記載のストレージ装置。
【請求項４】
前記第１の領域を前記筐体の中心寄りに形成し、前記第２の領域を前記筐体の外側寄りに形成した、請求項２記載のストレージ装置。
【請求項５】
前記一つの冷却領域と前記他の冷却領域とを前記筐体内に、重力方向に沿って形成し、前記第１の装置を前記筐体の上端に備え、前記第２の装置を前記第１の冷却領域と前記他の冷却領域との間に備えてなる、請求項３記載のストレージ装置。
【請求項６】
前記第１の領域は前記一つの冷却領域を通過した外気を前記排出領域から前記筐体外に排出し、前記第２の領域は前記他の冷却領域を通過した外気を前記排出領域から前記筐体外に排出し、
前記構造体は、前記第２の領域を通過する外気を前記第１の領域外に誘導する、
請求項２記載のストレージ装置。
【請求項７】
前記第１の領域及び前記第２の領域を前記筐体の外周面側から筐体内に向かって形成するとともに、前記第１の領域は前記一つの冷却領域の中心側を前記排出領域に向けて形成されているとともに、前記第２の領域は前記他の冷却領域の中心側を経て前記一つの冷却領域の周りを前記排出領域に向けて形成されてなる、
請求項４記載のストレージ装置。
【請求項８】
請求項２記載の構造体を、前記他の冷却領域と前記一つの冷却領域との境界に設けてなる、請求項７記載のストレージ装置。
【請求項９】
前記構造体の前記他の冷却領域に臨む第１の境界面を有し、当該第１の境界面が前記第２の領域を通過してくる外気を、前記一つの冷却領域の周りに誘導する、請求項８記載のストレージ装置。
【請求項１０】
前記構造体が前記一つの冷却領域に臨む第２の境界面を有し、前記第１の冷却通路を通過した外気を前記第２の境界面を通過して前記構造体内を前記排出領域に向けて誘導する、請求項９記載のストレージ装置。
【請求項１１】
前記第１の境界面は、前記筐体内を当該筐体の外側に向けて前記外気を誘導する第１の斜面を備えている、請求項９記載のストレージ装置。
【請求項１２】
前記第１の境界面は、前記外気を前記筐体中心側に誘導する第２の斜面を有する、請求項１１記載のストレージ装置。
【請求項１３】
前記一つの冷却領域が前記記憶媒体収容部に形成され、前記他の冷却領域が前記コントロールユニットに形成されてなる、請求項２記載のストレージ装置。
【請求項１４】
前記記憶媒体収容部が第１の収容部と第２の収容部から構成され、前記第１の収容部と前記第２の収容部との間に、請求項１０記載の構造体が配置され、前記第２の境界面が前記第１の収容部と、前記第２の収容部のそれぞれに臨んで設けられている、請求項１３記載のストレージ装置。
【請求項１５】
前記第２の境界面に、前記第１の収容部と前記第２の収容部とをそれぞれ通過した外気を前記構造体内部に誘導する開口が形成されている、請求項１４記載のストレージ装置。
【請求項１６】
前記第２の領域が前記記憶媒体収容部と前記筐体の外側端部との間に形成されている、請求項１３記載のストレージ装置。
【請求項１７】
前記第１の斜面が前記第１の境界面の中心寄りからその外側に向けて形成されている、請求項１１記載のストレージ装置。
【請求項１８】
前記第１の斜面及び第２の斜面が略円弧状に形成されている、請求項１２記載のストレージ装置。
【発明の詳細な説明】
【技術分野】
【０００１】
本発明は、筐体内に多数の記憶媒体を収容した、高密度実装型のストレージ装置に係わり、特に、筐体内に於ける冷却性能を向上するための構造を備えたストレージ装置に関する。
【背景技術】
【０００２】
一般に、電子装置において、ハードディスクドライブに供給される電力の一部は、ハードディスクの回転による摩擦熱や電子回路部の抵抗熱に変換される。複数のハードディスクドライブをアレイ状に配置して備えるストレージ装置は、このハードディスクドライブが高密度に搭載されているほど、発熱量が大きくなる。そこで、ストレージ装置を稼動している間は、ストレージ装置内のハードディスクドライブや電子回路部を冷却する必要がある。
【０００３】
近年のストレージ装置においては、例えば、ＲＡＩＤ（Redundant Array of Independent Disks)方式による大型のストレージ装置に代表されるように、その記憶容量が増大する傾向にある。即ち、ストレージ装置に搭載されるハードディスクドライブの総数が増加、即ち、ハードディスクドライブの実装密度が増加してきている。
【０００４】
この高密度実装によって、ストレージ装置の消費電力及び発熱量も増加の一途を辿っている。発熱に対する対策として、ストレージ装置内に外気を導入するためのファンが大型化されてはきているが、ハードディスクドライブの高密度実装により、ストレージ装置内部における外気の循環に対する抵抗が大きく、ストレージ装置内を十分冷却する効果が達成されていない。このため、ファンを更に大型化せざるを得ず、これによりファンから発生する騒音が大きく、かつファンを稼動させるための電力消費が増大化している。
【０００５】
従来、この種の冷却システムを備えた磁気ディスク装置として、特開平８−２７３３４５号公報に記載のように、情報を磁気的に記憶する複数台の磁気ディスクドライブと、該磁気ディスクドライブを制御する制御回路部が搭載された制御回路基板と、前記磁気ディスクドライブと制御回路基板を空冷で冷却する送風手段とを、一つの装置筐体内に収納して成る磁気ディスク装置において、前記磁気ディスクドライブ、制御回路基板及び送風手段をフレーム内に保持して一つのディスクボックスを構成するとともに、該ディスクボックスを一つの装置筐体内に複数台収納したことを特徴とするものが提案されている。
【０００６】
また、特開２００５−１９５６２号公報には、筐体の天井に内部と外部とを通気させるための通気部が設けられ、天井に近い側の段に画成される第１の電子機器収容用ボックスを収容するための第１の収容部に、２つの開口面を有する中空のダクトが配設され、第１の開口面は通気部に面し、第２の開口面は天井から遠い側の段に画成される第２の電子機器収容用ボックスを収容するための第２の収容部に面し、第２の収容部に収容される第２の電子機器収容用ボックスの内部の空気が、ダクトの内部を通って通気部から筐体の外部へ排出され、第１の収容部に収容される第１の電子機器収容用ボックスの内部の空気が、ダクトの外壁面に沿って通気部から筐体の外部へ排出される構造を有するストレージ装置が紹介されている。
【０００７】
【特許文献１】特開平８−２７３３４５号公報
【特許文献２】特開２００５−１９５６２号公報
【発明の開示】
【発明が解決しようとする課題】
【０００８】
しかしながら、特開平８−２７３３４５号公報においては、ディスクボックス毎に送風手段を設けてディスクユニット毎に冷却を行うことは提案されていても、排気を効率化させることやファンの小型化については配慮がない。
また、特開２００５−１９５６２号公報においては、第１の収容部上部にあるファンが第２の収容部からの排気及び第１の収容部からの排気の両方を筐体外部に輸送する役割を持つので、排気すべき外気の量が多くなる。このため、ファンから離れた場所の筐体内の外気は筐体外へ排出され難く、筐体内に外気が滞りがちとなり、冷却性能が低下する。
【０００９】
さらに、第１の収容部を冷却した外気と第２の収容部を冷却した外気とが同じダクトに流されるのと、これら二つの外気がダクトに入る位置が異なる、すなわち、第1の収容部を流れる外気がダクトの途中から入り、第２の収容部を流れる外気がダクトの開始端から入るために、ダクト内で外気の流通のバランスが乱れ、冷却性能が低下する問題がある。この問題を避けようとすると、一層ファンを大型化しなくてはならない。
【００１０】
本発明はかかる課題に鑑みてなされたものであり、その目的とするところは、ストレージ装置を冷却する際のファンから発生する騒音や、冷却に要する電力消費を抑制することにある。
【課題を解決するための手段】
【００１１】
本発明は、前記目的を達成するために、ストレージ装置において、第１の収容部を冷却する外気の流れと、第２の収容部を冷却する外気の流れとが、混合しないようにしたことを特徴とするものである。
即ち、本発明は、複数の記憶媒体を収納する記憶媒体収容部と、上位ホスト装置からのデータ入出力要求に応答して前記記憶媒体に対するデータ入出力処理を行うコントロールユニット部と、前記記憶媒体収容部及び前記コントロールユニット部に電源を供給する電源部と、を一方向に配列して筐体内に備えるストレージ装置において、前記筐体内に形成された複数の冷却領域と、各冷却領域に外気を誘導し、次いで、当該外気を前記筐体の排出領域から当該筐体外部に排出する、外気導入・排出装置と、前記各冷却領域を通過した外気を前記排出領域まで導く外気誘導領域と、を備え、一つの冷却領域を通過した前記外気が他の冷却領域を通過した前記外気と混合しないように、前記外気誘導領域を構成したことを特徴とするものである。
【発明の効果】
【００１２】
本発明によれば、ストレージ装置を冷却する際のファンから発生する騒音や、冷却に要する電力消費を抑制することができる。
【発明を実施するための最良の形態】
【００１３】
以下、各図を参照しながら本発明の実施形態について説明する。図１は、ストレージ装置全体を示す斜視図である。図１に示す通り、ストレージ装置１００は、大型の矩形を成す筐体２００内に、筐体の接地面側から筐体の頭頂側に向かって、順に、ＤＣ電源６００、バッテリ８００、ＬＧボックス（コントロールユニット部）４００、ＨＤＤボックス３００が収容されて構成されている。
【００１４】
図示しない上位装置（例えば、ホスト装置）が、図１のストレージ装置に接続され、上位装置によってアクセスされるデータがＨＤＤボックス３００内のハードディスクドライブに保存されている。各ＨＤＤボックス３００には、複数のハードディスクドライブ３００Ａがアレイ状に配置されている。ＬＧボックス４００は、上位装置とストレージ装置との間でのデータの入出力を制御するコントロール回路を備えている。ＤＣ電源６００は交流電力を直流電力に変換し、ＬＧボックス及びＨＤＤボックスに直流電力を供給する。バッテリ８００は、予備電源装置である。
【００１５】
図２は、ストレージ装置１００の筐体２００に、各ユニットが収容される状態を示した斜視図である。ストレージ装置１００の上段には、既述のＨＤＤボックス３００が収容されている。ＨＤＤボックス３００内のハードディスクドライブ３００ＡはＨＤＤボックスに対して抜き差し可能に収容されている。符号５００は、ストレージ装置の上端面にある、電動ファンである。この電動ファンは外気を筐体外からＨＤＤボックスを経由させて筐体中心側に導き、この外気をストレージ装置の上端から排気させる。
【００１６】
ＨＤＤボックス３００には、重力方向に４列、鉛直方向に対して直角方向に１６列の合計６４個のディスクドライブ３１０がアレイ状に搭載されている。なお、複数のフレームを矩形に組み立てて、筐体２００の全体が構成されているとともに、筐体の上段、中段、下段は、仕切りフレーム２０１、２０２によって作られている。仕切りフレーム２０１上にＨＤＤボックス３００が支持されている。仕切りフレーム２０１と仕切りフレーム２０２との間に形成される中段には、コントロールユニット４００が仕切りフレーム２０２に支持固定されている。さらに仕切りフレームと筐体下端のフレーム２０３との間に形成される下段には、ＤＣ電源６００及びバッテリ８００、さらにＡＣボックス７００が収容されている。
【００１７】
ＬＧボックス（コントロールユニット部）４００、制御回路が形成された複数の論理基板４３０を備えている。論理基板４３０は、ＬＧボックスに対して抜き差し可能にＬＧボックスに収容されている。論理基板４３０は、ストレージ装置１００と情報処理装置との間でデータ入出力のための通信を行うためのチャネルアダプタや、ディスクドライブ３００Ａに記憶されるデータに対する入出力処理を行うディスクアダプタや、情報処理装置との間で授受されるデータを記憶するためのキャッシュメモリ、などがある。ＬＧボックス４００の上端面には、外気を筐体２００外から筐体内に引き込む電動ファン４１０が配置されている。この電動ファンは、外気を電源部及びＬＧボックスを経由させて筐体内に導き、これを筐体外に排出する。
【００１８】
筐体２００の下段にはバッテリ８００、ＡＣボックス７００、ＤＣ電源８００が収容される。これらが一体となってストレージ装置の電源部を形成する。重量の重い電源部をストレージ装置１００の下段に配置することにより、ストレージ装置を接地する際に、ストレージ装置を安定させている。なお、図１に示すように、ストレージ装置の正面には、操作入力部１００Ａがある。
【００１９】
ＤＣ電源６００は、交流電力を直流電力に変換し、ＬＧボックス４００及びディスクドライブ３１０に直流電力を供給する。バッテリ８００は停電時やＤＣ電源６００の異常時等に、ストレージ装置１００の内部の各装置に電力を予備的に供給する。ＡＣボックス７００は、ストレージ装置１００に対する交流電力の取り入れ口であり、ブレーカとして機能する。ＡＣボックス７００に取り入れられた交流電力がＤＣ電源６００に供給される。ストレージ下段にある電源部で発生するより大きい熱量は、電動ファン４１０によって筐体内に供給された外気によって冷却される。なお、図２に示されるようにＨＤＤボックス３００、ＬＧボックス４００、電源部は、それぞれストレージ装置の正面側と背面側から一対づつ、ストレージ装置に配置収容されている。
【００２０】
図３は、ストレージ装置の冷却方式を示すための、ストレージ装置全体の斜視図である。ストレージ装置の冷却領域は、大きくは二つに分かれ、すなわち、冷却領域は、ＨＤＤボックス３００を冷却する領域２１２と、ＬＧボックス４００及び電源部４１０Ａを冷却する領域２１４から成る。電動ファン５００は外気２１６を筐体外からＨＤＤボックスを経由して筐体内に吸引する。この外気は電動ファン５００によって、排気２１８としてストレージ装置１００外に排出される。外気２１６は筐体外から筐体内に流れる過程で、ハードディスクドライブの周りを通過して、ハードディスクドライブを冷却する。
【００２１】
図３には直接図示されてはいないが、図２で説明した電動ファン４１０は、外気２２０を筐体外からＬＧボックス４００及び電源部４１０Ａを経由して筐体内に吸引し、この外気は、筐体内を上昇して、ＨＤＤボックスと筐体側面との間に形成された空間２２２を介して、排気２２４として筐体外に排出される。外気が吸気２１６、そして排気２１８として、筐体内から筐体外に排出されるまでの、外気誘導ルートあるいは外気誘導領域と、外気が吸気２２０、そして排気２２４として筐体の左右の側面から筐体外に排出されるまでのルートあるいは領域とは、それぞれの外気が混合しないように形成されている。即ち、外気２２０がＨＤＤボックス冷却用の外気と実質的にならないようにしている。
【００２２】
なお、図４に示すように、筐体２００の周りには化粧パネル２３０が装着される。化粧パネルには、図示しないが、外気導入用の複数の開口が設けられている。化粧パネル２３０と筐体２００との間には通風可能な空間が形成される。さらに、図３において、外気はストレージ装置の正面、背面、右側面、及び左側面からストレージ装置内に吸引される。
【００２３】
次に、ストレージ装置内に形成される外気の誘導ルートを、二つの冷却領域毎に、実質的に独立して形成するための構成について説明する。図５は、この構成を示すための斜視図である。一対のＨＤＤボックス３００がストレージ装置の正面側と背面側からそれぞれストレージ装置内に収容されている。一対のＨＤＤボックス３００の間には、図３の吸気２２０が筐体内を通過する導入ルートを外気２１６が筐体内を通過する導入ルートから実質的に区別するための、構造体２１０が配置されている。この構造体の存在によって、筐体内に於ける外気の導入ルートは図６、図７のようになる。図６は、図３の説明とも一部重複するが、吸気２１６がＨＤＤボックスの正面、左右の側面から構造体２１０内に入り、ストレージ装置の排気領域にあるファン５００によって、排気２１８として筐体外に排出される。図７において、筐体２００の中段及び下段の周囲から吸引された外気２２０が構造体２１０の内部に至ることなく、構造体２１０の外側の左右の側面と筐体との間、即ち、筐体とＨＤＤボックスの収納領域との間を、上昇して排気２２４となってストレージ装置外に排出される。
【００２４】
次に、構造体２１０の詳細を図５に戻り説明する。構造体２１０は、平面及び内部が開放された矩形状に形成されている。構造体２１０の底面は、外気２２０（図７参照）を構造体内に進入しないようにするために遮蔽されている。構造体２１０の左右の側面も同様である。図８（ａ）にも示すように、構造体２１０は、底面２１０Ａと、左右の側面２１０Ｃと、構造体の全体矩形形状を形成するフレーム２１０Ｂとを備えて構成されている。構造体の正面及び背面には、フレーム２１０Ｂにパネル３３０が固定される。このパネルは、図５に示すように、ＨＤＤボックスに面している。パネル３３０には、外気が構造体２１０内に進めるようにする、複数の開口３３０Ａが形成されている。この開口が形成される密度が、構造体２１０の下端側に向かって（ストレージ装置の底面側に向かって）大きくなるように形成されている（図８（ｂ）参照）。
【００２５】
これは、外気を構造体２１０内に取り入れる吸引力がファン５００から遠くなるほど低下する恐れがあり、これに対処するためである。図３に示す外気２１６は開口３３０Ａを介して構造体２１０内に導かれ、図９に示すように、外気２２０は、構造体２１０内ではなく、構造体２１０の左右の側面２１０Ｃに沿って筐体内を上昇する。したがって、構造体２１０によって、吸気２１６が誘導される領域と、吸気２２０が誘導される領域とが分離される。ファン５００は吸気２１６を吸引・排気するのに足りる容量ですみ、ファン４１０は吸気２２０を吸引・排気するのに足りる容量ですむ。
【００２６】
すなわち、本構造体２１０は上部が開いた箱型に形成され、構造体の上部にファン５００を設けるとともに、構造体底部の下方向にもファン４１０を設けて外気を分離する構造を有する。したがって、ファンが稼動する際の騒音が減り、かつ効率的な外気の排気を可能にする。なお、従来は構造体２１０が無く、吸気２２０は吸気２１６と筐体内部で一緒になり、一緒になった外気をファン５００が纏めて排気していたため、ファン５００が大型化する。この結果、ファンの消費電力及び騒音も大きくなる。また、ファンの羽を回転させる軸部分が大きくなると風路を遮るが、ファンを小型化することで、流路の面積に応じてファンを設置することができる。
【００２７】
図１０に示すように、構造体２１０の底面２１０Ａは、底面の正面側端部２１１Ａと背面側端部２１１Ｂとから、構造体の中心に向かった傾斜面２１３Ａ，２１３Ｂが左右の側面のそれぞれに形成されている。さらに、底面２１０Ａの中心２１５Ａから前記傾斜面２１３Ａと２１３Ｂとの交点２１３Ｃとを結ぶよう稜線２１３Ｄが形成されている。傾斜面２１３Ａ、２１３Ｂと稜線２１３Ｄによって、半三角錐状の凹部２１７が構造体の中心から左右それぞれの側面に向けて一対形成されている。外気２２０はファン４００によって構造体２１０側に圧送されたのち、構造体２１０の底面２１０Ａにぶつかり、凹部２１７に沿って構造体の左右の側面２１０Ｃ側に誘導される。当該凹部の幅は、凹部が三角錐の形状をしているために、凹部の幅が構造体の中心から左右の側面に向けて徐々に大きくなる結果、外気２２０は、構造体の中心から左右の側面側に円滑に誘導される。すなわち、外気２２０は、構造体の中心から左右それぞれの側面に向けて一対形成された凹部２１７により、構造体の中心から、左右の側面側に円滑に誘導される。すなわち、構造体２１０は、ＨＤＤボックスが設置されていない方向、つまり側面の方向にＬＧボックスからの排気が流れるように凹部を設けた構造を有する。また、傾斜面２１３Ａ、２１３Ｂによって、外気が構造体の正面側・背面側から中心側に誘導されるようになっている。この外気の流れは、図９に示されている。
【００２８】
図１１は構造体の寸法を示す。構造体の底面の正面側の一辺をＬ、側面の側の一辺をＤ、構造体の高さをＨとする。構造体の底面の正面側端部２１１Ａと正面背面側端部２１１Ｂとの中間点を２１１Ｄとする。２１１Ａから２１１Ｄまでの長さをｄ、２１１Ｄから底面２１０Ａの中心２１５Ａまでの長さをｌ、２１１Ｄから２１３Ｃまでの長さをｈとすると、それぞれ
０≦Ｌ−２ｌ≦Ｌ／２
０≦ｄ≦Ｄ／２
０≦ｈ≦Ｈ
との関係が成り立つように、前記構造体が作られる。この構造体は金属、樹脂、あるいは発泡スチロール材によって作られる。
【００２９】
構造体２１０の底面に形成される凹部２１７において、図１２（ａ）に示すように、０≦Ｌ−２ｌ≦Ｌ／２の関係が保たれる限りにおいてはＬ−２ｌの大きさが０より大きくてもよい。すなわち、半三角錐状の凹部２１７の頂点が２１５Ａ一点で形成されなくともよく、２１５Ｂ、２１５Ｃのように頂点が複数あって、さらに頂点と頂点との間に距離があってもよい。
【００３０】
また、図１２（ｂ）に示すように、底面の正面側端部２１１Ａより内側に２１１Ｃを、背面側端部２１１Ｂより内側に２１１Ｅをそれぞれ設け、２１１Ｃ、２１１Ｄから構造体の中心に向かって凹部２１７を形成してもよい。この場合、２１１Ａから２１１Ｃまでの長さをａ、２１１Ｅから２１１Ｂまでの長さをｂとすると、ａ、ｂ＜Ｄ／２のように、２１１Ｃあるいは２１１Ｅから２１１Ｄまでの長さａまたはｂは、構造体２１０の底面の側面側の一辺Ｄ／２よりも、短く形成されてもよい。
【００３１】
なお、底面２１０Ａの中心２１５Ａから前記傾斜面２１３Ａと２１３Ｂとの交点２１３Ｃとを結ぶよう形成される稜線２１３Ｄは、たとえば、図１３に示すように、曲線からなってもよい。その場合、構造体の底面の正面側の一辺をＬ、側面の側の一辺をＤ、構造体の高さをＨとする。構造体の底面の正面側端部２１１Ａから、背面側端部２１１Ｂとの中間点を２１１Ｄとする。２１１Ａから２１１Ｄまでの長さをｄ、２１１Ｄから底面２１０Ａの中心２１５Ａまでの長さをｌ、２１１Ｄから２１３Ｃまでの長さをｈとすると、それぞれ
０≦Ｌ−２ｌ≦Ｌ／２
０≦ｄ≦Ｄ／２
０≦ｈ≦Ｈ
との関係が成り立つように、前記構造体が形成される。
【００３２】
また、図１３（ｂ）乃至（ｅ）に示された角度をα、β、ｒ、σ、εとおくと、０°＜α、β、r、ζ、σ、ε＜９０°の関係が成り立つように構成される。
さらに、構造体２１０の底面に形成される凹部２１７の形状は、必ずしも錐に類似した形状でなくとも、図１４に示すように、楕円形状や円形形状などの種々の形状を組み合わせて構成されてもよい。また、前記傾斜面２１３Ａと２１３Ｂとの交点２１３Ｃとを結ぶよう形成される稜線２１３Ｄは、必ずしも直線でなくともよく、流線型状、曲線状、階段状などでもよい。また、必ずしも、左右対称の同じ線形状でなくてもよい。
【００３３】
また、構造体２１０の側面２１０Ｃに現れる凹部２１７の切り口の形状も、必ずしも三角形ではなくてよく、図１５に示すように、半楕円形や円形でもよく、凹部が何らかの窪みを有する形状であれば足り、その切り口の形状は問わない。また、必ずしも、切り口が両側面において左右対称の形状をとらなくてもよい。
以上本実施の形態について説明したが、上記実施例は本発明の理解を容易にするためのものであり、本発明を限定して解釈するためのものではない。本発明はその趣旨を逸脱することなく変更、改良され得ると共に、本発明にはその等価物も含まれる。
【図面の簡単な説明】
【００３４】
【図１】ストレージ装置全体を示す斜視図である。
【図２】ストレージ装置１００の筐体２００に、各ユニットが収容される状態を示した斜視図である。
【図３】ストレージ装置の冷却方式を示すための、ストレージ装置全体の斜視図である。
【図４】筐体２００の周りに化粧パネル２３０が設置された様子を示す図である。
【図５】ストレージ装置内に形成される外気の誘導ルートを、冷却領域毎に、実質的に独立して形成するための構成を示す図である。
【図６】筐体上段からの吸気２１６が排気２１８として筐体外に排出される様子を示す図である。
【図７】筐体２００の中段及び下段の周囲から吸引された外気２２０がストレージ装置外に排出される様子を示す図である。
【図８】構造体の正面及び背面の、フレーム２１０Ｂにパネル３３０を設けた様子を示す図である。
【図９】筐体２００の中段及び下段の周囲から吸引された外気２２０がストレージ装置外に排出される様子を示す図である。
【図１０】構造体の構造を示す図である。
【図１１】構造体の寸法を示す図である。
【図１２】構造体の変形例を示す図である。
【図１３】構造体の変形例を示す図である。
【図１４】構造体の変形例を示す図である。
【図１５】構造体の変形例を示す図である。
【符号の説明】
【００３５】
１００ ストレージ装置
１００Ａ  ストレージ装置の操作入力部
２００ 筐体
２１０ 構造体
２１０Ｂ  フレーム
２１２、２１４  冷却領域
２１６、２２０  吸気
２１８、２２４  排気
２３０ 化粧パネル
３００ ＨＤＤボックス
３１０ ディスクドライブ
３３０  パネル
３３１ 通気部
４００ ＬＧボックス
４１０ 電動ファン
４２０ 論理部
４３０ 論理基板
５００ 電動ファン
６００ ＤＣ電源
７００ ＡＣボックス
８００ バッテリ
【図１】
2007257792.tif 000003
【図２】
2007257792.tif 000004
【図３】
2007257792.tif 000005
【図４】
2007257792.tif 000006
【図５】
2007257792.tif 000007
【図６】
2007257792.tif 000008
【図７】
2007257792.tif 000009
【図８】
2007257792.tif 000010
【図９】
2007257792.tif 000011
【図１０】
2007257792.tif 000012
【図１１】
2007257792.tif 000013
【図１２】
2007257792.tif 000014
【図１３】
2007257792.tif 000015
【図１４】
2007257792.tif 000016
【図１５】
2007257792.tif 000017